(57)【要約】【課題】小型の電気掃除機に採用しても大型化を招くことがなく、衛生的なフィルター開閉機構を有する電気掃除機を提供すること。【解決手段】掃除機本体２と、吸気口２４と排気口２７を有し掃除機本体２に対して着脱可能な集塵ケース２１と、集塵ケース２１の排気口２７を塞ぐフィルター組立体３１とを有する電気掃除機１において、フィルター組立体３１が、フィルター本体３２とレバー３３と枢軸３４とを有し、枢軸３４によってフィルター組立体３１が集塵ケース２１に揺動可能に枢支されると共に、排気口２７を塞ぐ方向にフィルター本体３２を付勢する付勢手段としてのねじりコイルバネ３９を有することで、掃除機本体２から集塵ケース２１を取り外してレバー３３に指を掛けて枢軸３４回りに揺動させることで、集塵ケース２１の排気口２７を開き、レバー３３から指を離すことで排気口２７を塞ぐことができる。【選択図】図２
2020031864.tif 000002
【特許請求の範囲】
【請求項１】
掃除機本体と、吸気口及び排気口を有すると共に前記掃除機本体に対し着脱可能な集塵ケースと、この集塵ケースの排気口を塞ぐフィルター組立体とを有する電気掃除機において、
前記フィルター組立体が、フィルター本体と、このフィルター本体から突出して設けられたレバーと、前記フィルター本体とレバーとの間に設けられた枢軸とを有し、この枢軸によって前記フィルター組立体が集塵ケースに揺動可能に枢支されると共に、前記排気口を塞ぐ方向に前記フィルター本体を付勢する付勢手段を有することを特徴とする電気掃除機。
【請求項２】
前記集塵ケースが、その排気口近傍に切欠部を有し、この切欠部に前記レバーが位置することを特徴とする請求項１記載の電気掃除機。
【請求項３】
前記フィルター本体が前記排気口を塞いだ状態で、前記集塵ケースを前記掃除機本体に取り付けた際に、この掃除機本体に当接する当接部が前記フィルター本体に設けられることを特徴とする請求項１記載の電気掃除機。
【請求項４】
前記当接部が、前記フィルター本体における通気部分の全周を囲んで筒状に設けられると共に、前記当接部に全周にわたって接するシール部が前記掃除機本体に設けられることを特徴とする請求項３記載の電気掃除機。
【発明の詳細な説明】
【技術分野】
【０００１】
本発明は、塵捨てを容易にした小型の電気掃除機に関するものである。
【背景技術】
【０００２】
従来、この種の電気掃除機としては、集塵ボックス（集塵ケース）に対しフィルター（フィルター組立体）を揺動可能に支持し、前記フィルターにおけるヒンジ部の反対側にストッパー部を設け、このストッパー部に対応する爪部を前記集塵ボックスに設け、これらストッパー部と爪部を嵌合させることで、前記集塵ボックスの開口部（排気口）を前記フィルターによって塞ぐものが知られている（例えば、特許文献１参照。）。このような電気掃除機は、前記ストッパー部と爪部との嵌合を解除することで、前記フィルターが重力により揺動して前記集塵ボックスの開口部を開くように構成される。そして、このように前記フィルターが前記集塵ボックスの開口部を開くことで、前記集塵ボックス内に溜められた塵埃を廃棄することができるようになる。そして、塵埃を廃棄した後、前記フィルターを揺動させてそのストッパー部を前記集塵ボックスの爪部と係合させることで、前記集塵ボックスの開口部が前記フィルターによって再び塞がれる。
【先行技術文献】
【特許文献】
【０００３】
【特許文献１】特許第５０４０４５３号公報
【発明の概要】
【発明が解決しようとする課題】
【０００４】
しかしながら、このような電気掃除機の構造は、集塵ボックスの開口部に爪部を設けなければならないため、手持ち型のような小型の電気掃除機では、大型化を招く虞があって採用が難しいという問題があった。また、前記フィルターで前記集塵ボックスの開口部を塞ぐ場合、細かい塵埃で汚れたフィルターに触れなければならないため、不衛生であるという問題もあった。
【０００５】
本発明は以上の問題点を解決し、小型の電気掃除機に採用しても大型化を招くことがなく、衛生的なフィルター開閉機構を有する電気掃除機を提供することを目的とする。
【課題を解決するための手段】
【０００６】
本発明の請求項１に記載の電気掃除機は、掃除機本体と、吸気口及び排気口を有すると共に前記掃除機本体に対し着脱可能な集塵ケースと、この集塵ケースの排気口を塞ぐフィルター組立体とを有する電気掃除機において、前記フィルター組立体が、フィルター本体と、このフィルター本体から突出して設けられたレバーと、前記フィルター本体とレバーとの間に設けられた枢軸とを有し、この枢軸によって前記フィルター組立体が集塵ケースに揺動可能に枢支されると共に、前記排気口を塞ぐ方向に前記フィルター本体を付勢する付勢手段を有するものである。
【０００７】
また、本発明の請求項２に記載の電気掃除機は、請求項１において、前記集塵ケースが、その排気口近傍に切欠部を有し、この切欠部に前記レバーが位置するものである。
【０００８】
また、本発明の請求項３に記載の電気掃除機は、請求項１において、前記フィルター本体が前記排気口を塞いだ状態で、前記集塵ケースを前記掃除機本体に取り付けた際に、この掃除機本体に当接する当接部が前記フィルター本体に設けられるものである。
【０００９】
更に、本発明の請求項４に記載の電気掃除機は、請求項３において、前記当接部が、前記フィルター本体における通気部分の全周を囲んで筒状に設けられると共に、前記当接部に全周に渡って接するシール部が前記掃除機本体に設けられるものである。
【発明の効果】
【００１０】
本発明の請求項１に記載の電気掃除機は、以上のように構成することにより、前記掃除機本体から集塵ケースを取り外した状態で、前記レバーに指を掛けて枢軸回りに揺動させることで、前記集塵ケースの排気口を開き、この排気口から塵埃を捨てることができる。そして、前記レバーから指を離すことで、塵埃が付着した前記フィルター本体に触れることなく、前記付勢手段により前記フィルター組立体が逆方向に揺動して前記フィルター本体が再び前記排気口を塞ぐので、衛生的である。また、前記付勢手段によって前記フィルター本体が排気口を塞ぐので、前記掃除機が大型化する要素を少なくして、大型化を抑制することができる。
【００１１】
なお、前記集塵ケースが、その排気口近傍に切欠部を有し、この切欠部に前記レバーが位置することで、このレバーの前記集塵ケースからの突出を抑え、電気掃除機の大型化を抑制することができる。
【００１２】
また、前記フィルター本体が前記排気口を塞いだ状態で、前記集塵ケースを前記掃除機本体に取り付けた際に、この掃除機本体に当接する当接部が前記フィルター本体に設けられるので、前記集塵ケースに付勢手段が設けられるだけであっても、前記フィルター本体で前記集塵ケースの排気口を確実に塞ぐことができる。
【００１３】
更に、前記当接部が、前記フィルター本体における通気部分の全周を囲んで筒状に設けられると共に、前記当接部に全周にわたって接するシール部が前記掃除機本体に設けられることにより、気流漏れを抑えて効果的に吸引することができる。
【図面の簡単な説明】
【００１４】
【図１】本発明の一実施例を示す電気掃除機の外観図である。
【図２】同、一部断面図である。
【図３】同、排気口が塞がれた状態における集塵ケース及びフィルター組立体の断面図である。
【図４】同、排気口が開いた状態における集塵ケース及びフィルター組立体の断面図である。
【発明を実施するための形態】
【００１５】
以下、本発明の実施形態について、図１乃至図４に基づいて説明する。１は本発明の電気掃除機である。なお、この電気掃除機１は、手持ち型である。この電気掃除機１は、掃除機本体２と、集塵部３とを有する。
【００１６】
前記掃除機本体２内には、図示しない電動送風機及び二次電池が収容される。また、前記掃除機本体２の取付部１１には、前記集塵部３が着脱可能に取り付けられる。そして、この取付部１１の中央には、吸引開口部１２が設けられる。また、前記取付部１１には、前記吸引開口部１２を囲むように、短円筒状のリブ１３が設けられると共に、このリブ１３に環状のシール部１４が取り付けられる。
【００１７】
前記集塵部３は、集塵ケース２１とフィルター組立体３１とを有する。前記集塵ケース２１は、ケース本体２２と取付部２３とを有する。そして、前記ケース本体２２は、両端が開口した略筒状に形成される。前記ケース本体２２の一端側の開口は、吸気口２４である。また、前記ケース本体２２の他端側の開口は、取付開口２５である。そして、この取付開口２５には、前記取付部２３が取り付けられる。更に、前記ケース本体２２の他端側には、切欠部２６が形成される。また、前記取付部２３には、排気口２７が形成されると共に、この排気口２７の周囲に当接面２８が形成される。なお、前記切欠部２６は、前記排気口２７の近傍に設けられる。
【００１８】
前記フィルター組立体３１は、フィルター本体３２とレバー３３とを有する。そして、前記フィルター本体３２とレバー３３との間には、枢軸３４が設けられる。また、前記フィルター本体３２とレバー３３は、一体に形成される。更に、前記フィルター本体３２には、通気部分である通気筒３５が設けられ、この通気筒３５にフィルター体３６が保持される。更に、前記フィルター本体３２には、環状のシール部３７が設けられる。なお、このシール部３７は、前記フィルター本体３２が前記排気口２７を塞いだ状態において、前記当接面２８に当接する。また、前記レバー３３は、前記本体ケース２２の切欠部２６に位置する。更に、前記レバー３３の外面は、前記本体ケース２２の外面と略面一である。従って、前記レバー３３の前記集塵ケース２１からの突出を抑え、前記電気掃除機１の大型化を抑制することができる。そして、前記通気筒３５の前記取付部１１側には、前記通気筒３５の下端の周囲を囲むように、短円筒状の当接部３８が設けられる。そして、前記集塵部３を前記掃除機本体２に取り付けた状態で、前記当接部３８には、前記シール部１４が当接する。
【００１９】
なお、前記フィルター組立体３１は、前記枢軸３４によって、前記取付部２３に対し揺動可能に枢支される。また、前記フィルター組立体３１は、前記シール部３７が前記当接面２８に当接して前記フィルター本体３２が前記排気口２７を塞ぐように、付勢部材としてのねじりコイルバネ３９によって付勢される。
【００２０】
次に、本実施形態の作用について説明する。まず使用者は、前記掃除機本体２の取付部１１に前記集塵部３を取り付ける。この状態で、前記フィルター本体３２は、その当接部３８が前記シール部１４によって押される。これによって、前記フィルター組立体３１のフィルター本体３２のシール部３７が、前記集塵ケース２１の取付部２３の当接面２８に密着する。従って、前記集塵ケース２１の取付部２３の排気口２７は、前記フィルター組立体３１のフィルター本体３２によって塞がれる。このため、従来技術のような、集塵ケースとフィルター組立体を係合する係合機構を必要とせず、構造を単純にして電気掃除機１の大型化を抑制することができる。また、前記当接面２８の全周に渡って前記シール部３７が当接すると共に、短円筒状の前記当接部３８の全周に渡って前記シール部１４が当接するので、通気部分である前記通気筒３５から前記吸引開口部１２迄の間で気流漏れを抑制し、効果的に気流を吸引することができる。
【００２１】
そして、前記掃除機本体２に設けられた図示しないスイッチを操作することで、電動送風機を作動させ、これによって発生した吸引気流と共に塵埃を前記吸気口２４から吸引する。そして、前記フィルター体３６によって、含塵気流から塵埃が分離され、この分離された塵埃が前記集塵部３内に溜められる。なお、塵埃が分離された吸引気流は、通気部分である前記通気筒３５から前記フィルター体３６を通過して、前記吸引開口部１２から電動送風機に吸引される。そして、前記スイッチを再度操作することで、前記電動送風機が停止する。このようにして、吸引掃除が行われる。
【００２２】
吸引掃除が終了すると、前記集塵部３内に溜まった塵埃を捨てるために、前記集塵部３を前記掃除機本体２の取付部１１から取り外す。この際、前記フィルター組立体３１のフィルター本体３２が、付勢部材である前記ねじりコイルバネ３９によって前記排気口２７を塞いでいるので、この排気口２７から塵埃がこぼれない。
【００２３】
そして、ごみ箱等の上で、図４に示すように、前記ねじりコイルバネ３９の付勢力に抗して前記レバー３３を指で引き上げることで、前記枢軸３４を中心に前記フィルター組立体３１が揺動する。これによって、前記排気口２７が解放され、この排気口２７から溜まった塵埃をごみ箱等に廃棄することができる。
【００２４】
そして、前記レバー３３から指を離すと、図３に示すように、前記ねじりコイルバネ３９の付勢力によって、前記フィルター本体３２のシール部３７が前記集塵ケース２１の取付部２３の当接面２８に当接する。即ち、前記ねじりコイルバネ３９の付勢力によって、前記フィルター本体３２が前記排気口２７を塞ぐことができるので、塵埃等で汚れた前記フィルター組立体３１に触れることなく、前記フィルター本体３２で前記排気口２７を塞ぐことができる。そして、前述したように、前記集塵部３を前記掃除機本体２の取付部１１に取り付けることで、前記フィルター本体３２が前記シール部１４によって押されるので、前記フィルター本体３２によって前記排気口２７が塞がれた状態が維持される。
【００２５】
以上のように本発明は、掃除機本体２と、吸気口２４及び排気口２７を有すると共に前記掃除機本体２に対し着脱可能な集塵ケース２１と、この集塵ケース２１の排気口２７を塞ぐフィルター組立体３１とを有する電気掃除機１において、前記フィルター組立体３１が、フィルター本体３２と、このフィルター本体３２から突出して設けられたレバー３３と、前記フィルター本体３２とレバー３３との間に設けられた枢軸３４とを有し、この枢軸３４によって前記フィルター組立体３１が集塵ケース２１に対し揺動可能に枢支されると共に、前記排気口２７を塞ぐ方向に前記フィルター本体３２を付勢する付勢手段としてのねじりコイルバネ３９を有することで、前記掃除機本体２から集塵ケース２１を取り外した状態で、前記レバー３３に指を掛けて枢軸３４回りに揺動させることで、前記集塵ケース２１の排気口２７を開き、この排気口２７から塵埃を捨てることができ、また、前記レバー３３から指を離すことで、塵埃が付着した前記フィルター本体３２に触れることなく、前記ねじりコイルバネ３９により前記フィルター組立体３１が逆方向に揺動して前記フィルター本体３２が再び前記排気口２７を塞ぐので、衛生的であり、更に、前記ねじりコイルバネ３９によって前記フィルター本体３２が前記排気口２７を塞ぐので、前記掃除機１が大型化する要素を少なくして、構造を単純化し、電気掃除機１の大型化を抑制することができるものである。
【００２６】
また、本発明は、前記集塵ケース２１が、その排気口２７近傍に切欠部２６を有し、この切欠部２６に前記レバー３３が位置するものであるので、このレバー３３の前記集塵ケース２１からの突出を抑え、電気掃除機１の大型化を抑制することができるものである。
【００２７】
また、本発明は、前記フィルター本体３２が前記排気口２７を塞いだ状態で、前記集塵ケース２１を前記掃除機本体２に取り付けた際に、この掃除機本体２に当接する当接部３８が前記フィルター本体３２に設けられるので、前記集塵ケース２１にねじりコイルバネ３９が設けられるだけであっても、前記フィルター本体３２で前記集塵ケース２１の排気口２７を確実に塞ぐことができるものである。
【００２８】
更に、本発明は、前記当接部３８が、前記フィルター本体３２における通気部分である通気筒３５の全周を囲んで筒状に設けられると共に、前記当接部３８に全周に渡って接するシール部１４が前記掃除機本体２に設けられることで、気流漏れを抑えて効果的に吸引することができるものである。
【００２９】
なお、本発明は以上の実施形態に限定されるものではなく、発明の要旨の範囲内で種々の変形実施が可能である。例えば、上記実施形態では、付勢部材としてねじりコイルバネが用いられたが、これ以外の付勢部材を用いても良い。
【符号の説明】
【００３０】
１  電気掃除機
２  掃除機本体
１４  シール部
２１  集塵ケース
２４  吸気口
２６  切欠部
２７  排気口
３１  フィルター組立体
３２  フィルター本体
３３  レバー
３４  枢軸
３５  通気筒（通気部分）
３８  当接部
３９  ねじりコイルバネ（付勢部材）
【図１】
2020031864.tif 000003
【図２】
2020031864.tif 000004
【図３】
2020031864.tif 000005
【図４】
2020031864.tif 000006